(57)【特許請求の範囲】
【請求項１】
鼻当てパッドを有する眼鏡フレームにおいて、
前記鼻当てパッドを支持するパッド足と、
レンズ保持部材の鼻側部分に設けられ、前記鼻当てパッドを通常の鼻当て位置からフロント面側に畳み込み自在に前記パッド足を軸支する軸支部とを有し、
前記軸支部は、前記レンズ保持部材に固定される基台と、前記パッド足が固定される一方、前記基台に対して部分的に嵌合するとともに、所定角度の範囲で回動自在に取り付けられる回動部材とを有し、
前記回動部材は、前記基台との嵌合部にその回動軸を有するとともに、前記嵌合部の外側に延びるように設けられ、前記鼻当てパッドが鼻当て位置にあるとき前記基台に接触する部分と、前記鼻当てパッドをフロント面側に折り畳んだときに前記基台に接触する部分と、前記回動軸回りの回動を可能にする切り欠き部とを有し、
前記パッド足は、その前記鼻当てパッドを支持する側とは反対側の端部が、前記回動部材の前記嵌合部から離れた位置において、前記回動軸と並ぶように接続され、
前記回動部材が、前記パッド足との接続部において、前記パッド足の断面よりも大きな断面を有すること、
を特徴とする眼鏡フレーム。
【請求項２】
左右のテンプルを軸支する各ヒンジの頂点が、前記テンプルの軸芯回りへの耳掛け部の捻じれ角度のほぼ１／２の角度だけ前方に傾斜し、前記左右の一方のヒンジの頂点が前記捻じれ角度のほぼ１／２の角度よりも微小角度大きい角度だけ外側に傾斜し、他方のヒンジの頂点が前記捻じれ角度のほぼ１／２の角度よりも微小角度小さい角度だけ外側に傾斜していることを特徴とする請求項１記載の眼鏡フレーム。
【請求項３】
前記微小角度は０．５°〜１．０°の範囲であることを特徴とする請求項２記載の眼鏡フレーム。
【請求項４】
前記テンプルの軸芯にほぼ垂直な平面に対してフロント面が内側に傾斜している場合、前記内側への傾斜角度の１／２の角度を加えた角度分、前記ヒンジが前方および外側にそれぞれ傾斜していることを特徴とする請求項２記載の眼鏡フレーム。
【発明の詳細な説明】
【０００１】
【発明の属する技術分野】
本発明はレンズを保持する眼鏡フレームに関し、特に鼻当てパッドを有する眼鏡フレームに関する。
【０００２】
【従来の技術】
一般の眼鏡フレームでは、ブリッジやリム、ヨロイ等のレンズ保持部材によりレンズを保持している。これらレンズ保持部材のうちブリッジやリムには、鼻当てパッドが設けられている。この鼻当てパッドは、パッド足を介して装用者の鼻側に突き出るように取り付けられている。そして、眼鏡の装用時には、この鼻当てパッドが鼻の左右両側から押し当たることにより、眼鏡のフロント面がすべり落ちるのが防止される。
【０００３】
【発明が解決しようとする課題】
しかし、この鼻当てパッドは、鼻側に突き出ているので、フレームのテンプルを折り畳むと、テンプルと鼻当てパッドが重なってしまい、鼻当てパッドの厚みの分だけ、眼鏡全体を薄く折り畳むことができなかった。
【０００４】
本発明はこのような点に鑑みてなされたものであり、テンプルを折り畳んだときに眼鏡全体を薄くすることのできる眼鏡フレームを提供することを目的とする。
【０００５】
【課題を解決するための手段】
本発明では上記課題を解決するために、鼻当てパッドを有する眼鏡フレームにおいて、前記鼻当てパッドを支持するパッド足と、レンズ保持部材の鼻側部分に設けられ、前記鼻当てパッドを通常の鼻当て位置からフロント面側に畳み込み自在に前記パッド足を軸支する軸支部とを有し、前記軸支部は、前記レンズ保持部材に固定される基台と、前記パッド足が固定される一方、前記基台に対して部分的に嵌合するとともに、所定角度の範囲で回動自在に取り付けられる回動部材とを有し、前記回動部材は、前記基台との嵌合部にその回動軸を有するとともに、前記嵌合部の外側に延びるように設けられ、前記鼻当てパッドが鼻当て位置にあるとき前記基台に接触する部分と、前記鼻当てパッドをフロント面側に折り畳んだときに前記基台に接触する部分と、前記回動軸回りの回動を可能にする切り欠き部とを有し、前記パッド足は、その前記鼻当てパッドを支持する側とは反対側の端部が、前記回動部材の前記嵌合部から離れた位置において、前記回動軸と並ぶように接続され、前記回動部材が、前記パッド足との接続部において、前記パッド足の断面よりも大きな断面を有すること、を特徴とする眼鏡フレームが提供される。
【０００６】
このような眼鏡フレームでは、眼鏡の装用時には、鼻当てパッドを鼻当て位置にすることにより、通常の鼻当てパッドの機能を持たせることができる。一方、眼鏡の収納時には、パッド足を回動させることにより鼻当てパッドをフロント面側に畳み込ませる。これにより、テンプルを折り畳んだときに、テンプルと鼻当てパッドが干渉することがない。よって、眼鏡全体を薄くすることができる。
【０００７】
【発明の実施の形態】
以下、本発明の一形態を図面に基づいて説明する。
図２は本形態の眼鏡の外観を示す正面図である。また、図３は本形態の眼鏡の側面図である。眼鏡１は、金属のフレーム１０によって左右のレンズ２，３を保持している。レンズ２を保持するリム１１には、ヨロイ１６およびヒンジ部１８を介してテンプル１４が取り付けられている。一方、レンズ３を保持するリム１２には、ヨロイ１７およびヒンジ部１９を介してテンプル１５が取り付けられている。リム１１およびリム１２は、ブリッジ１３によって連結されている。リム１１およびリム１２には、それぞれ鼻当て部２０、鼻当て部２１が取り付けられている。鼻当て部２０、鼻当て部２１は、それぞれパッド２０１，２１１を備えている。
【０００８】
テンプル１４，１５の各耳掛け部１４１，１５１には、それぞれモダン１４１ａ，１５１ａが取り付けられている。テンプル１４，１５の各耳掛け部１４１，１５１は、下方および内側に折り曲げられている。その結果、眼鏡１を正面から見た場合には、図２に示すように、耳掛け部１４１，１５１は、それぞれテンプル１４，１５の軸芯回りに角度θ（５°〜３０°、ただし、±３°程度の製造誤差がある。）だけフレーム内側方向に捻じれた形状となっている。
【０００９】
また、眼鏡１のフロント面は、図３に示すように、Ｘ−Ｙ平面に対して内側に角度βだけ傾斜している。
これら耳掛け部１４１の捻じれ角度θ、およびフロント面の傾斜角度βに応じて、ヒンジ部１８は、その軸芯Ｌ１  の頂点が前方および外側にそれぞれθ／２＋β／２、θ／２＋β／２＋αだけ傾斜するように形成されている。ここで、角度αは、０．５°〜１．０°であることが好ましい。同様に、ヒンジ部１９は、その軸芯Ｌ２  の頂点が前方および外側にそれぞれθ／２＋β／２、θ／２＋β／２−αだけ傾斜するように形成されている。これらヒンジ部１８，１９の傾斜の作用については後述する。
【００１０】
図４は眼鏡１のフロント面部分の平面図である。図に示すように、鼻当て部２０のパッド２０１は、通常の鼻当て位置と、フロント面側位置との間で手動により回動自在に取り付けられている。一方の、鼻当て部２１のパッド２１１も同様に、通常の鼻当て位置と、フロント面側位置との間で手動により回動自在に取り付けられている。
【００１１】
図５は右側の鼻当て部２１の構成を示す斜視図である。鼻当て部２１は、主に、パッド２１１、基台２１２、回動部材２１３、およびパッド足２１４から構成されている。パッド足２１４の一端にはパッド箱２１４ａが形成されており、このパッド箱２１４ａにパッド２１１が取り付けられている。パッド２１１は、パッド箱２１４ａに対して所定角度回動可能に取り付けられている。
【００１２】
また、パッド足２１４の他端は、回動部材２１３に固定されている。パッド足２１４は、回動部材２１３の長手方向がＺ軸とほぼ一致しているときに、パッド２１１が鼻当て位置にくるように取り付けられている。回動部材２１３は、基台２１２に形成された凹部２１２ａに緩く嵌合しており、軸２１５を中心に回動自在に取り付けられている。
【００１３】
図６は図５のＡ−Ａ線に沿う断面図である。基台２１２は、切り欠き部２１２ｂがろう付けされることにより、リム１２に固定されている。回動部材２１３は、長手方向がＺ軸とほぼ一致した向きにあるときに、その端面２１３ａが基台２１２の凹部２１２ａの面と接触するように取り付けられている。また、回動部材２１３の鼻側の端部には、切り欠き部２１３ｂが形成されている。
【００１４】
回動部材２１３は、図の状態では端面２１３ａが凹部２１２ａと当接しているので、これよりも左回りへは回動しない。一方、切り欠き部２１３ｂにより、回動部材２１３は、図の状態よりも右回りへの回動が可能となっている。そして、右回りに約９０°回動させた場合には、回動部材２１３は、その端面２１３ｃが凹部２１２ａに当接し、それ以上の回動が阻止される。
【００１５】
なお、図５および図６では、右側の鼻当て部２１の構成を示したが、左側の鼻当て部２０の構成要素および機能については、鼻当て部２１と位置や向きが対称なだけなので、ここでは説明を省略する。
【００１６】
次に、このような構成の本形態の眼鏡１の作用について説明する。
眼鏡１を装用するときには、図４のように、左右のテンプル１４，１５を開き、さらに、左右の鼻当て部２０，２１のパッド２０１，２１１を、図４の実線のように鼻当て位置に回動させる。これにより、パッド２０１，２１１に通常の鼻当てパッドの機能を持たせることができる。
【００１７】
一方、眼鏡１を眼鏡ケース等に収納する場合には、パッド２０１，２１１をフロント面側に畳み込む。図７はパッド２０１，２１１をフロント面側に畳み込んだ状態を示す背面図である。この状態では、パッド２０１，２１１は、レンズ２，３面にほぼ平行になり、鼻側への突出が極力押さえられる。
【００１８】
図８はパッド２０１，２１１を畳み込んだ状態からさらにテンプル１４，１５を折り畳んだ状態を示す背面図である。テンプル１４のヒンジ部１８は、図３で説明したように、軸芯Ｌ１  の頂点が前方に角度θ／２＋β／２だけ傾斜しているので、テンプル１４をフロント面側に折り畳んだ場合、耳掛け部１４１の捻じれは、θ／２＋β／２だけ補正される。また、ヒンジ部１８は、図２で説明したように、軸芯Ｌ１  の頂点が外側に角度θ／２＋β／２＋αだけ傾斜しているので、テンプル１４をフロント面側に折り畳んだ場合、耳掛け部１４１の捻じれ角度θは、さらにθ／２＋β／２＋αだけ補正される。
【００１９】
すなわち、テンプル１４を折り畳むことにより、耳掛け部１４１は、Ｘ−Ｙ平面に対して合計で角度θ＋β＋αだけ傾斜することになる。ただし、耳掛け部１４１は、内側に角度θで捻じれているとともに、フロント面も角度β内側に傾斜しているので、耳掛け部１４１は、フロント面に対しては角度αだけ反フロント面側に傾斜している。このとき、角度αは、前述したように０．５°〜１．０°と微小なので、耳掛け部１４１はほぼフロント面に沿っているといえる。
【００２０】
また、ヒンジ部１８の前方および外側への傾斜によって、折り畳んだ状態のテンプル１４は、図８に示すように、その軸芯Ｍ１が水平方向（Ｘ軸方向）よりも角度αだけ傾斜し、耳掛け部１４１側が上方に向く。
【００２１】
一方、テンプル１５のヒンジ部１９は、ヒンジ部１８と同様に軸芯Ｌ２  の頂点が前方に角度θ／２＋β／２だけ傾斜しているので、テンプル１５をフロント面側に折り畳んだ場合、耳掛け部１５１の捻じれは、θ／２＋β／２だけ補正される。また、ヒンジ部１９は、図２で説明したように、軸芯Ｌ２  の頂点が外側に角度θ／２＋β／２−αだけ傾斜しているので、テンプル１５をフロント面側に折り畳んだ場合、耳掛け部１５１の捻じれは、さらにθ／２＋β／２−αだけ補正される。
【００２２】
すなわち、テンプル１５を折り畳むことにより、耳掛け部１５１は、Ｘ−Ｙ平面に対して合計で角度θ＋β−αだけ傾斜することになる。ただし、上述したように耳掛け部１４１は、内側に角度θで捻じれているとともに、フロント面も角度β内側に傾斜しているので、耳掛け部１５１は、フロント面に対しては角度αだけフロント面側に傾斜している。このとき、角度αは、前述したように０．５°〜１．０°と微小なので、耳掛け部１５１はほぼフロント面に沿っているといえる。
【００２３】
また、ヒンジ部１９の前方および外側への傾斜によって、折り畳んだ状態のテンプル１５は、図８に示すように、その軸芯Ｍ２が水平方向（Ｘ軸方向）よりも角度αだけ傾斜し、耳掛け部１５１が下方に向く。すなわち、テンプル１４およびテンプル１５は、互いにほぼ平行となっており、テンプル１４，１５どうしの重なりが小さくなっている。なお、角度αは微小なので、テンプル１４，１５の各耳掛け部１４１，１５１が、リム１１，１２の上下からはみ出ることがない。
【００２４】
図１はパッド２０１，２１１を畳み込んだ状態からさらにテンプル１４，１５を折り畳んだ状態を示す平面図である。図に示すように、パッド２０１，２１１は、フロント面側に畳み込まれているので、鼻側に突出することがない。よって、眼鏡１全体を薄く折り畳むことができる。また、例えテンプル１４，１５がパッド２０１，２１１と重なるようなフレーム形状であっても、互いに干渉することがなく、眼鏡１を薄く折り畳むことができる。
【００２５】
また、上述したように、テンプル１４およびテンプル１５は、互いにほぼ平行となっているため、重なりが小さく、より眼鏡１全体を薄く折り畳むことができる。本形態の眼鏡１の構成によれば、レンズ２，３にコバ厚が標準のものを使用し、フレーム１０を金属フレームとした場合には、折り畳んだときの厚さは１ｃｍ前後となる。
【００２６】
なお、本形態では、テンプル１４，１５の微小角度の傾き分をともにαとしたが、フレーム１０の形状等に応じて互いに多少異なる値にしてもよい。
また、本形態では、微小角度αの値を０．５°〜１．０°としたが、テンプル１４，１５の幅や、鼻当て部２０，２１の位置等に応じて、この範囲以外の値にしてもよい。ただし、この場合、あくまでもテンプル１４，１５の各耳掛け部１４１，１５１が、がリム１１，１２の上下からはみ出ない範囲であることが好ましい。
【００２７】
さらに、本形態では、鼻当て部２１等の構成として、図５、図６のものを示したが、この構成に限られるものではない。
図９は鼻当て部の他の構成例を示す斜視図である。この鼻当て部３０は、基台３１および回動部材３２に、それぞれＬ字型の切り欠き部３１ａ，３２ａが形成されており、これら切り欠き部３１ａ，３２ａが合わさるように取り付けられている。回動部材３２は、軸３３を中心に回動する。この回動部材３２には、パッド足３４が固定され、さらにパッド足３４の先端にはパッド箱３４ａが形成されている。また、パッド箱３４ａには、パッド３５が取り付けられている。パッド３５は、パッド箱３４ａに対して所定角度回動可能に取り付けられている。
【００２８】
このような鼻当て部３０では、基台３１および回動部材３２に、それぞれ曲面３１ｂ，３２ｂが形成されており、図５、図６で示した鼻当て部２１と同様に、回動部材３２は、基台３１に対して、鼻当て位置とフロント面側位置との間のみで回動可能となっている。
【００２９】
【発明の効果】
以上説明したように本発明では、鼻当てパッドを通常の鼻当て位置からフロント面側に畳み込み自在にパッド足を軸支するようにしたので、眼鏡の収納時には、パッド足が固定された回動部材を回動させることにより鼻当てパッドをフロント面側に畳み込ませれば、テンプルを折り畳んだときに、テンプルと鼻当てパッドが干渉することがない。よって、眼鏡全体を薄くすることができる。
【図面の簡単な説明】
【図１】パッドを畳み込んだ状態からさらにテンプルを折り畳んだ状態を示す平面図である。
【図２】本形態の眼鏡の外観を示す正面図である。
【図３】本形態の眼鏡の側面図である。
【図４】眼鏡のフロント面部分の平面図である。
【図５】右側の鼻当て部の構成を示す斜視図である。
【図６】図５のＡ−Ａ線に沿う断面図である。
【図７】鼻当て部のパッドをフロント面側に畳み込んだ状態を示す背面図である。
【図８】パッドを畳み込んだ状態からさらにテンプルを折り畳んだ状態を示す背面図である。
【図９】鼻当て部の他の構成例を示す斜視図である。
【符号の説明】
１  眼鏡
２，３  レンズ
１０  フレーム
１１，１２  リム
１３  ブリッジ
１４，１５  テンプル
１８，１９  ヒンジ部
２０，２１  鼻当て部
１４１，１５１  耳掛け部
２０１，２１１  パッド
２１２  基台
２１３  回動部材
２１４  パッド足
２１５  軸
【図１】
0003604497.tif 000002
【図２】
0003604497.tif 000003
【図３】
0003604497.tif 000004
【図４】
0003604497.tif 000005
【図５】
0003604497.tif 000006
【図６】
0003604497.tif 000007
【図７】
0003604497.tif 000008
【図８】
0003604497.tif 000009
【図９】
0003604497.tif 000010